【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
物体側から順に、正の屈折力を有する第１レンズ群と、負の屈折力を有する第２レンズ群と、正の屈折力を有する第３レンズ群と、正の屈折力を有する第４レンズ群とからなり、
広角端状態から望遠端状態への変倍に際して、前記第１レンズ群と前記第２レンズ群との間隔が増加し、前記第２レンズ群と前記第３レンズ群との間隔が減少し、前記第３レンズ群と前記第４レンズ群との間隔が減少するように、前記各レンズ群が光軸に沿って移動し、以下の条件式を満足することを特徴とするズームレンズ。
２．７８≦１００・（Ｄ３ｗ−Ｄ３ｔ）／（Ｚ・ＩＬ）≦９．１
０．５５≦１０・（Ｄ２ｗ−Ｄ２ｔ）／（Ｚ・ＩＬ）≦３．１
０．８１≦ｆ３／ｆ４≦６．０
但し、
Ｄ２ｗ：広角端状態における無限遠合焦時の前記第２レンズ群と前記第３レンズ群との間隔
Ｄ２ｔ：望遠端状態における無限遠合焦時の前記第２レンズ群と前記第３レンズ群との間隔
Ｄ３ｗ：広角端状態における無限遠合焦時の前記第３レンズ群と前記第４レンズ群との間隔
Ｄ３ｔ：望遠端状態における無限遠合焦時の前記第３レンズ群と前記第４レンズ群との間隔
ＩＬ  ：有効画面の対角線長
ｆ３  ：前記第３レンズ群の焦点距離
ｆ４  ：前記第４レンズ群の焦点距離
Ｚ    ：変倍比
【請求項２】
以下の条件式を満足することを特徴とする請求項１に記載のズームレンズ。
３．３５・ｆｗ≦ｆ１≦０．６７・ｆｔ
０．５５≦ｆｗ／ＩＬ≦０．８３
但し、
ｆｗ  ：広角端状態における無限合焦時の前記ズームレンズ全系の焦点距離
ｆｔ  ：望遠端状態における無限合焦時の前記ズームレンズ全系の焦点距離
ｆ１  ：前記第１レンズ群の焦点距離
【請求項３】
以下の条件式を満足することを特徴とする請求項１又は請求項２に記載のズームレンズ。
１．１＜ｆｗ／（−ｆ２）＜２．２
但し、
ｆｗ  ：広角端状態における無限合焦時の前記ズームレンズ全系の焦点距離
ｆ２  ：前記第２レンズ群の焦点距離
【請求項４】
前記第１レンズ群は、物体側に凸面を向けた負メニスカスレンズと両凸形状の正レンズとの接合よりなる接合レンズと、物体側に凸面を向けた正メニスカスレンズとを有することを特徴とする請求項１から請求項３のいずれか１項に記載のズームレンズ。
【請求項５】
前記第２レンズ群は、物体側から順に、物体側レンズ面の曲率よりも像側レンズ面の曲率が大きく当該像側レンズ面が像側に凹である負レンズと、両凹形状の負レンズと、両凸形状の正レンズと、像側レンズ面の曲率よりも物体側レンズ面の曲率が大きく当該物体側レンズ面が物体側に凹である負レンズとを有することを特徴とする請求項１から請求項４のいずれか１項に記載のズームレンズ。
【請求項６】
前記第２レンズ群は、最も物体側のレンズ面が非球面であることを特徴とする請求項１から請求項５のいずれか１項に記載のズームレンズ。
【請求項７】
前記第３レンズ群は、最も物体側に開口絞りを有することを特徴とする請求項１から請求項６のいずれか１項に記載のズームレンズ。
【請求項８】
前記第４レンズ群は、少なくとも１つの非球面を有することを特徴とする請求項１から請求項７のいずれか１項に記載のズームレンズ。
【請求項９】
前記第１レンズ群は、全てのレンズ面が球面で構成されていることを特徴とする請求項１から請求項８のいずれか１項に記載のズームレンズ。
【手続補正２】
【補正対象書類名】明細書
【補正対象項目名】０００４
【補正方法】変更
【補正の内容】
【０００４】
しかしながら、上記従来のズームレンズにおいて、高変倍ズーミングによって発生する大きな収差を、第３レンズ群と第４レンズ群との空気間隔をわずかに変化させることで補正することは、当該空気間隔の変化が性能劣化に与える影響（以下、「間隔変化感度」という。）が著しく大きいことを意味し、さらに、第３レンズ群と第４レンズ群との偏心が性能劣化に与える影響（以下、「偏心感度」という。）も大きいことを意味する。このため、ズームレンズの製造に際して高い製造精度が求められることとなる。
【手続補正３】
【補正対象書類名】明細書
【補正対象項目名】０００７
【補正方法】変更
【補正の内容】
【０００７】
上記課題を解決するために本発明は、
物体側から順に、正の屈折力を有する第１レンズ群と、負の屈折力を有する第２レンズ群と、正の屈折力を有する第３レンズ群と、正の屈折力を有する第４レンズ群とからなり、
広角端状態から望遠端状態への変倍に際して、前記第１レンズ群と前記第２レンズ群との間隔が増加し、前記第２レンズ群と前記第３レンズ群との間隔が減少し、前記第３レンズ群と前記第４レンズ群との間隔が減少するように、前記各レンズ群が光軸に沿って移動し、以下の条件式（１）,（２）,（３）を満足することを特徴とするズームレンズ。
（１）  ２．７８≦１００・（Ｄ３ｗ−Ｄ３ｔ）／（Ｚ・ＩＬ）≦９．１
（２）  ０．５５≦１０・（Ｄ２ｗ−Ｄ２ｔ）／（Ｚ・ＩＬ）≦３．１
（３）  ０．８１≦ｆ３／ｆ４≦６．０
但し、
Ｄ２ｗ：広角端状態における無限遠合焦時の前記第２レンズ群と前記第３レンズ群との間隔
Ｄ２ｔ：望遠端状態における無限遠合焦時の前記第２レンズ群と前記第３レンズ群との間隔
Ｄ３ｗ：広角端状態における無限遠合焦時の前記第３レンズ群と前記第４レンズ群との間隔
Ｄ３ｔ：望遠端状態における無限遠合焦時の前記第３レンズ群と前記第４レンズ群との間隔
ＩＬ  ：有効画面の対角線長
ｆ３  ：前記第３レンズ群の焦点距離
ｆ４  ：前記第４レンズ群の焦点距離
Ｚ    ：変倍比
【手続補正４】
【補正対象書類名】明細書
【補正対象項目名】０００９
【補正方法】変更
【補正の内容】
【０００９】
また本発明のズームレンズは、
以下の条件式（６）を満足することが望ましい。
（６）  １．１＜ｆｗ／（−ｆ２）＜２．２
但し、
ｆｗ  ：広角端状態における無限合焦時の前記ズームレンズ全系の焦点距離
ｆ２  ：前記第２レンズ群の焦点距離
【手続補正５】
【補正対象書類名】明細書
【補正対象項目名】００１２
【補正方法】変更
【補正の内容】
【００１２】
以下、本発明のズームレンズの実施の形態について説明する。
本発明のズームレンズは、第１レンズ群と第２レンズ群との空気間隔の変化と第２レンズ群と第３レンズ群との空気間隔の変化が変倍を担い、第３レンズ群と第４レンズ群との空気間隔の変化が収差変動の補正を担うように作用が分担されているプラスリーディングの４群ズームレンズである。このため、第３レンズ群と第４レンズ群との空気間隔の間隔変化感度を低減するためには、単位変倍比あたりの間隔変化量を大きく設定すればよく、これに準じて偏心感度も低減する。
【手続補正６】
【補正対象書類名】明細書
【補正対象項目名】００２２
【補正方法】変更
【補正の内容】
【００２２】
本発明のズームレンズは、上述の各条件式を満足することによって大きな画角を有し、５倍以上の高変倍比を有し、さらに高い結像性能を有しつつ偏心感度が低く、製造容易なズームレンズを達成することができる。
【手続補正７】
【補正対象書類名】明細書
【補正対象項目名】００３０
【補正方法】変更
【補正の内容】
【００３０】
（表１）
［全体諸元］
ｆ    ＝  18.5  〜 130.9
ＦＮＯ＝   3.8  〜   5.9
２ω  ＝  12.1  〜  77.8゜
［レンズデータ］
面番号     ｒ      ｄ       ｎ      ν
1   126.5788  1.3000  1.84666  23.78
2    62.9349  8.0000  1.62041  60.29
3  -959.3109  0.1000
4    52.1972  5.3104  1.63854  55.38
5   154.0444  D5
* 6   512.7257  0.1000  1.55389  38.09
7   253.6448  1.0000  1.80610  40.94
8    14.3723  5.5584 
9   -31.2202  1.0000  1.80400  46.58
10    35.7077  0.2000 
11    29.2887  4.8000  1.84666  23.78
12   -23.7594  0.3500 
13   -20.8706  1.0000  1.83400  37.17
14   -99.6658  D14
15  開口絞りＳ 0.5000
16    32.8767  2.8000  1.49700  81.61
17  -122.8806  0.1000 
18    37.4982  2.8002  1.48749  70.24
19   976.1324  8.4450 
20   -26.4571  1.0000  1.84666  23.78
21   -75.5039  D21
22    35.9134  5.1670  1.51633  64.14
23   -42.6826  0.5998
24  -394.9746  4.5688  1.51823  58.96
25   -23.1325  0.8638
26   -21.8212  1.0000  1.80400  46.58
27  -301.1549  0.0500  1.55389  38.09
*28  -101.3732  1.0000
29   -76.2405  3.2000  1.48749  70.24
30   -26.5516  b.f
［非球面データ］
＜第６レンズ面＞
κ ＝  0.00
C4 ＝  1.34780E-05
C6 ＝ -4.19530E-08
C8 ＝  2.53920E-10
C10＝ -1.18210E-12
C12＝  0.25331E-14
＜第２８レンズ面＞
κ ＝  0.00
C4 ＝  2.70980E-05
C6 ＝ -2.69790E-09
C8 ＝  4.40790E-10
C10＝ -5.15070E-12
C12＝  0.17994E-13
［可変間隔データ］
広角端状態  中間焦点距離状態  望遠端状態
ｆ      18.50          69.99          130.94
D5       2.61          32.84           43.56
D14     24.56           7.36            1.50
D21      8.01           2.48            1.10
b.f     38.10          61.00           72.34
［条件式対応値］
条件式（１）  １００・（Ｄ３ｗ−Ｄ３ｔ）／（Ｚ・ＩＬ）＝3.46
条件式（２）  １０・（Ｄ２ｗ−Ｄ２ｔ）／（Ｚ・ＩＬ）＝1.16
条件式（３）  ｆ３／ｆ４＝1.57
条件式（４）  ｆｗ＝18.50
ｆ１＝84.186
ｆｔ＝130.94
条件式（５）  ｆｗ／ＩＬ＝0.66
条件式（６）  ｆｗ／（−ｆ２）＝1.32
【手続補正８】
【補正対象書類名】明細書
【補正対象項目名】００３５
【補正方法】変更
【補正の内容】
【００３５】
第１レンズ群Ｇ１は、物体側から順に、物体側に凸面を向けた負メニスカスレンズＬ１１と物体側に凸面を向けた正メニスカスレンズＬ１２との接合レンズと、物体側に凸面を向けた正メニスカスレンズＬ１３とからなる。
第２レンズ群Ｇ２は、物体側から順に、物体側に凸面を向けた負メニスカスレンズＬ２１と、両凹形状の負レンズＬ２２と、両凸形状の正レンズＬ２３と、両凹形状の負レンズＬ２４とからなる。
【手続補正９】
【補正対象書類名】明細書
【補正対象項目名】００３７
【補正方法】変更
【補正の内容】
【００３７】
（表２）
［全体諸元］
ｆ    ＝  18.5  〜 130.9
ＦＮＯ＝   3.8  〜   5.9
２ω  ＝  12.2  〜  77.7゜
［レンズデータ］
面番号     ｒ      ｄ       ｎ      ν
1   110.5931  1.5000  1.84666  23.78
2    63.3145  8.0924  1.61800  63.38
3 12416.2260  0.1000
4    51.8758  5.8267  1.61800  63.38
5   139.1383  D5
*6   165.0473  0.2000  1.55389  38.09
7   149.3325  1.0000  1.80610  40.94
8    13.3098  5.4349
9   -37.8165  0.9000  1.80400  46.58
10    57.9510  0.0699
11    27.7747  4.1853  1.84666  23.78
12   -26.3538  0.3785
13   -21.6730  0.9000  1.80610  40.94
14   142.5913  D14
15  開口絞りＳ 0.5000
16    23.9195  5.8645  1.48749  70.24
17   -24.9715  2.6130
18   -18.2217  0.9000  1.80400  46.58
19   -41.8914  D19
20    41.3191  4.9980  1.51742  52.42
21   -70.8432  0.1298
22   475.9332  4.9998  1.49700  81.61
23   -23.9450  0.1106
24   -30.6076  2.3955  1.84666  23.78
25  -119.1001  2.2608
*26   -54.4252  0.2000  1.55389  38.09
27   -40.7481  4.9993  1.53172  48.87
28   -31.9717  b.f
［非球面データ］
＜第６レンズ面＞
κ ＝  0.0000
C4 ＝  1.20340E-05
C6 ＝ -1.77940E-08
C8 ＝ -1.94350E-11
C10＝  3.50120E-13
C12＝  0.0000
＜第２６レンズ面＞
κ ＝  0.0000
C4 ＝ -2.95570E-05
C6 ＝ -3.32740E-08
C8 ＝ -1.47290E-10
C10＝  0.0000
C12＝  0.0000
［可変間隔データ］
広角端状態  中間焦点距離状態  望遠端状態
ｆ      18.52          70.00          131.00
D5       2.47          34.66           45.69
D14     22.70           8.01            2.90
D19      8.92           2.98            1.20
b.f     40.09          62.98           71.13
［条件式対応値］
条件式（１）  １００・（Ｄ３ｗ−Ｄ３ｔ）／（Ｚ・ＩＬ）＝3.87
条件式（２）  １０・（Ｄ２ｗ−Ｄ２ｔ）／（Ｚ・ＩＬ）＝0.99
条件式（３）  ｆ３／ｆ４＝1.43
条件式（４）  ｆｗ＝18.52
ｆ１＝86.671
ｆｔ＝131.00
条件式（５）  ｆｗ／ＩＬ＝0.66
条件式（６）  ｆｗ／（−ｆ２）＝1.42
【手続補正１０】
【補正対象書類名】明細書
【補正対象項目名】００４２
【補正方法】変更
【補正の内容】
【００４２】
（表３）
［全体諸元］
ｆ    ＝  18.5  〜 130.9
ＦＮＯ＝   3.8  〜   5.9
２ω  ＝  12.2  〜  77.6゜
［レンズデータ］
面番号     ｒ       ｄ       ｎ      ν
1   164.0905  1.5000  1.846660  23.78
2    67.6857  8.0837  1.618000  63.38
3  -613.2094  0.1000           
4    53.0522  5.5000  1.772500  49.61
5   131.2460  D5
* 6   107.6967  0.2000  1.553890  38.09
7   100.6081  1.0000  1.804000  46.58
8    14.2885  5.9799           
9   -37.4985  0.9000  1.772500  49.61
10    60.0005  0.0044           
11    28.8752  4.3000  1.846660  23.78
12   -33.0419  0.3511           
13   -26.4340  0.9000  1.806100  40.94
14    73.0574  D14
15  開口絞りＳ 0.5000
16    31.8505  1.0000  1.785900  44.20
17    21.6830  2.8000  1.531720  48.87
18   -45.9949  1.9509           
19   -22.0786  0.9000  1.804000  46.58
20   -40.6412  D20
21    29.5499  5.0004  1.516330  64.14
22   -95.1249  3.2225           
23    54.8850  5.0000  1.497000  81.61
24   -36.1062  0.1776           
25   -43.1181  2.3853  1.846660  23.78
26   267.3975  3.8599           
*27   241.5414  0.2000  1.553890  38.09
28   241.5414  5.0000  1.581440  40.75
29   -64.6981  b.f
［非球面データ］
＜第６レンズ面＞
κ ＝  0.0000
C4 ＝  9.56370E-06
C6 ＝ -4.93930E-09
C8 ＝ -6.74420E-11
C10＝  2.99380E-13
C12＝  0.0000
＜第２７レンズ面＞
κ ＝  0.0000
C4 ＝ -2.42330E-05
C6 ＝ -1.88300E-08
C8 ＝ -9.25330E-11
C10＝  0.00000E+00
C12＝  0.0000
［可変間隔データ］
広角端状態  中間焦点距離状態  望遠端状態
ｆ      18.50          70.00          131.00
D5       2.46          33.89           43.65
D14     16.35           6.40            2.90
D20     14.93           4.79            1.10
b.f     41.24          64.70           77.50
［条件式対応値］
条件式（１）  １００・（Ｄ３ｗ−Ｄ３ｔ）／（Ｚ・ＩＬ）＝6.95
条件式（２）  １０・（Ｄ２ｗ−Ｄ２ｔ）／（Ｚ・ＩＬ）＝0.68
条件式（３）  ｆ３／ｆ４＝3.32
条件式（４）  ｆｗ＝18.54
ｆ１＝85.748
ｆｔ＝130.95
条件式（５）  ｆｗ／ＩＬ＝0.66
条件式（６）  ｆｗ／（−ｆ２）＝1.42
【手続補正１１】
【補正対象書類名】明細書
【補正対象項目名】００４７
【補正方法】変更
【補正の内容】
【００４７】
（表４）
［全体諸元］
ｆ    ＝  18.5  〜 130.9
ＦＮＯ＝   3.8  〜   5.9
２ω  ＝  12.2  〜  77.7゜
［レンズデータ］
面番号     ｒ       ｄ       ｎ      ν
1   160.9952  1.5000  1.846660  23.78
2    69.9752  8.2235  1.618000  63.38
3  -460.9193  0.1000
4    50.4345  5.5939  1.696800  55.52
5   123.3902  D5
*6   146.2960  0.2000  1.553890  38.09
7   127.5372  1.0000  1.804000  46.58
8    14.2844  5.4973
9   -36.3574  0.9000  1.772500  49.61
10    77.5767  0.1000
11    29.5571  4.3194  1.846660  23.78
12   -28.7383  0.4258
13   -22.9928  0.9000  1.806100  40.94
14    85.0453  D14
15  開口絞りＳ 0.5000
16    29.9631  1.0000  1.772500  49.61
17    19.5204  2.8000  1.516330  64.14
18   -59.0056  0.6843
19   -23.2552  0.9000  1.772500  49.61
20   -37.5814  D20
21    29.8651  3.9090  1.487490  70.24
22   -83.2754  2.7420
23    38.5230  6.0000  1.497000  81.61
24 -5133.4430  5.7732  1.846660  23.78
25    44.4688  1.7212
*26    64.6715  0.1000  1.553890  38.09
27    69.8192  5.2636  1.487490  70.24
28   -54.9618  b.f
［非球面データ］
＜第６レンズ面＞
κ ＝  0.0000
C4 ＝  1.07390E-05
C6 ＝  6.27270E-09
C8 ＝ -1.23500E-10
C10＝  4.99830E-13
C12＝  0.0000
＜第２６レンズ面＞
κ ＝  0.0000
C4 ＝ -2.77660E-05
C6 ＝ -2.00490E-08
C8 ＝ -1.54290E-10
C10＝  0.0000
C12＝  0.0000
［可変間隔データ］
広角端状態  中間焦点距離状態  望遠端状態
ｆ      18.54          70.00          131.00
D5       2.51          32.84           43.08
D14     17.64           6.80            2.90
D20     14.4674         4.3874          1.1474
b.f     38.00          64.70           77.50
［条件式対応値］
条件式（１）  １００・（Ｄ３ｗ−Ｄ３ｔ）／（Ｚ・ＩＬ）＝6.69
条件式（２）  １０・（Ｄ２ｗ−Ｄ２ｔ）／（Ｚ・ＩＬ）＝0.74
条件式（３）  ｆ３／ｆ４＝3.24
条件式（４）  ｆｗ＝18.54
ｆ１＝85.544
ｆｔ＝130.95
条件式（５）  ｆｗ／ＩＬ＝0.66
条件式（６）  ｆｗ／（−ｆ２）＝1.39